(57)【要約】【課題】パネル材が配置した後にも固定材の上下位置を容易に調整することが可能な床施工方法を提供する。【解決手段】床施工方法は、建物１の床１０を構成する床パネル１１を支持する大引１２と、大引１２を支持する束１３とを一体化した床下ユニット２０を床１０の土間ＦＬに配置する工程と、床下ユニット２０を配置した後に、床パネル１１から束１３の上部が露出するように、大引１２の上に床パネル１１を配置する工程と、大引１２の上下位置を調整するために、大引１２に組み付けられた束１３の上部に設けられたネジ頂部１７を操作して、大引１２に対する束１３の組み付け位置を上下方向において変更する工程と、を含む。大引１２の上下位置を調整するためのネジ頂部１７の操作は、床パネル１１において大引１２の上に載った部分のうち、ネジ頂部１７の上方位置に設けられた開口部を通じて行われる。【選択図】図１
2019178585.tif 000002
【特許請求の範囲】
【請求項１】
建物の床を構成するパネル材を支持する固定材と、前記固定材を支持する支柱とを一体化した床下ユニットを前記床のベース部に配置する工程と、
前記床下ユニットを配置した後に、前記パネル材から前記支柱の上部が露出するように、前記固定材の上に前記パネル材を配置する工程と、
前記固定材の上下位置を調整するために、前記固定材に組み付けられた前記支柱の上部に設けられた被操作部を操作して、前記固定材に対する前記支柱の組み付け位置を上下方向において変更する工程と、を含み、
前記固定材の上下位置を調整するための前記被操作部の操作は、前記パネル材において前記固定材の上に載った部分のうち、前記被操作部の上方位置に設けられた開口部を通じて行われることを特徴とする床施工方法。
【請求項２】
前記固定材の上下位置を調整するための前記被操作部の操作は、前記パネル材において前記固定材の上に載った部分のうち、前記被操作部の上方位置に形成された穴又は切り欠きを通じて行われることを特徴とする請求項１に記載の床施工方法。
【請求項３】
前記支柱は、前記固定材が嵌合可能な受け部と、前記受け部の底壁を貫通して該底壁よりも上方に突出した前記被操作部とを備え、
前記床下ユニットは、前記支柱の前記受け部に、前記被操作部が前記固定材の底を貫通するように前記固定材を嵌合させて構成されることを特徴とする請求項１又は２に記載の床施工方法。
【請求項４】
前記支柱のうち、前記被操作部を上端部に有する支柱本体を、前記固定材に形成された挿入孔に挿入して前記支柱が前記固定材に組み付けられ、
前記固定材の上下位置を調整するための前記被操作部の操作は、前記パネル材において前記固定材の上に載った部分のうち、前記挿入孔の上方位置に形成された前記開口部を通じて行われることを特徴とする請求項１乃至３のいずれか一項に記載の床施工方法。
【請求項５】
前記建物の基礎の立ち上がり部には、互いに離間して配置された一対の保持具が設置されており、
前記床下ユニットは、前記一対の前記保持具に、前記床下ユニットの前記固定材のそれぞれの端部を保持させるようにして配置されることを特徴とする請求項１乃至４のいずれか一項に記載の床施工方法。
【発明の詳細な説明】
【技術分野】
【０００１】
本発明は、建物の床を施工する床施工方法に係り、特に、床を構成するパネル材が固定材によって固定され、固定材が支柱によって支持されている構造の床を施工する床施工方法に関する。
【背景技術】
【０００２】
建物の床構造として、床を構成するパネル材が大引等の固定材によって固定され、固定材が束等の支柱によって支持されている床構造は、既に知られている（例えば、特許文献１参照）。
特許文献１に記載の床構造では、支柱としての束が、大引支持部と支柱本体とベース部とを備えている。ベース部は、土間床等に接地される。大引支持部は、角筒状の大引を嵌め込んで大引を固定する部分である。支柱本体は、大引支持部の下方位置で大引支持部を支持する。また、支柱本体は、その中途位置にターンバックルを備えており、ターンバックルを回すことで支柱本体の高さを変更することが可能である。これにより、大引支持部の上下位置を調整することが可能である。
【先行技術文献】
【特許文献】
【０００３】
【特許文献１】特開２００２−１２１８８３号公報
【発明の概要】
【発明が解決しようとする課題】
【０００４】
上記の従来技術では、大引の上下位置を調整する際には、束の支柱本体の中途部分に設けられた被操作部（例えば、ターンバックル）を操作して大引の上下位置を調整する。この際、支柱本体の被操作部を操作するには、支柱本体の側方から被操作部を把持したり操作用工具を被操作部に近付けたりする。このため、従来の床構造では被操作部が操作し難くなっており、特に、大引上に床パネルを載せた後に大引の上下位置を調整する場合には被操作部の操作が著しく困難となる。
【０００５】
本発明は、上記の課題に鑑みてなされたものであり、その目的は、床のパネル材を配置した後にもパネル材を支持する固定材の上下位置を容易に調整することが可能な床施工方法を提供することである。
【課題を解決するための手段】
【０００６】
上記課題は、本発明に係る床施工方法によれば、建物の床を構成するパネル材を支持する固定材と、前記固定材を支持する支柱とを一体化した床下ユニットを前記床のベース部に配置する工程と、前記床下ユニットを配置した後に、前記パネル材から前記支柱の上部が露出するように、前記固定材の上に前記パネル材を配置する工程と、前記固定材の上下位置を調整するために、前記固定材に組み付けられた前記支柱の上部に設けられた被操作部を操作して、前記固定材に対する前記支柱の組み付け位置を上下方向において変更する工程と、を含み、前記固定材の上下位置を調整するための前記被操作部の操作は、前記パネル材において前記固定材の上に載った部分のうち、前記被操作部の上方位置に設けられた開口部を通じて行われることにより解決される。
上記の床施工方法によれば、パネル材を支持する固定材と支柱とを一体化した床下ユニットの上にパネル材を置いてから、支柱の高さを調整することができる。この際、パネル材の上から支柱の高さ調整が可能であるため、固定材及びパネル材の上下位置の調整を簡単に行うことができる。すなわち、上記の床施工方法によれば、床施工の労力を軽減できる。
【０００７】
上記の床施工方法において、前記固定材の上下位置を調整するための前記被操作部の操作は、前記パネル材において前記固定材の上に載った部分のうち、前記被操作部の上方位置に形成された穴又は切り欠きを通じて行われるとよい。
こうすることで、パネル材において固定材の上に載った部分のうち、被操作部の上方位置には、開口部として形成された穴又は切り欠きが設けられており、固定材の上下位置を調整する際には、この穴又は切り欠きを通じて被操作部の操作が可能である。これにより、被操作部を操作して固定材の上下位置を調整することが一層簡単になる。
【０００８】
上記の床施工方法において、前記支柱は、前記固定材が嵌合可能な受け部と、前記受け部の底壁を貫通して該底壁よりも上方に突出した前記被操作部とを備え、前記床下ユニットは、前記支柱の前記受け部に、前記被操作部が前記固定材の底を貫通するように前記固定材を嵌合させて構成されるとよい。
こうすることで、支柱の受け部に固定材を嵌合させることで、支柱を固定材に簡単に組み付けることが可能となる。これにより、床施工の作業性を向上できる。
【０００９】
上記の床施工方法において、前記支柱のうち、前記被操作部を上端部に有する支柱本体を、前記固定材に形成された挿入孔に挿入して前記支柱が前記固定材に組み付けられ、前記固定材の上下位置を調整するための前記被操作部の操作は、前記パネル材において前記固定材の上に載った部分のうち、前記挿入孔の上方位置に形成された前記開口部を通じて行われるとよい。
こうすることで、固定材に形成された挿入孔に支柱の支柱本体を挿入することで、支柱を固定材に適切に組み付けることが可能となる。
【００１０】
上記の床施工方法において、前記建物の基礎の立ち上がり部には、互いに離間して配置された一対の保持具が設置されており、前記床下ユニットは、前記一対の前記保持具に、前記床下ユニットの前記固定材のそれぞれの端部を保持させるようにして配置されるとよい。
こうすることで、固定材を配置する際に、固定材の位置決めを簡単に行うことができる。すなわち、上記の床施工方法によれば床下ユニットを配置することが容易となる。
【発明の効果】
【００１１】
本発明によれば、床のパネル材を配置した後にもパネル材を支持する固定材の上下位置を容易に調整することができる。
【図面の簡単な説明】
【００１２】
【図１】本発明の建物における床構造の一例を示す模式図である。
【図２】床下ユニットの組み立て手順を示す図である。
【図３】大引に束を組み付ける手順を説明する図である。
【図４】床下ユニットの配置例を示す図である。
【図５】床下ユニットの配置状態を示す側面図である。
【図６】大引が保持具により保持されている状態を示す図である。
【図７】床下ユニットに床パネルを配置した状態を示す図である。
【図８】束の組み付け位置の調整を説明する図である。
【図９】変形例に係る束の組み付け位置の調整前の状態を示す図である。
【図１０】変形例に係る束の組み付け位置の調整後の状態を示す図である。
【図１１】変形例に係る床パネルを示す図である。
【発明を実施するための形態】
【００１３】
以下、図１乃至図１１を参照しながら、本発明に係る建物の床の施工方法（床施工方法）について説明する。なお、以下に説明する実施例は、本発明の理解を容易にするためのものであり、本発明を限定するものではない。すなわち、本発明は、その趣旨を逸脱することなく、変更、改良され得る。また、当然ながら、本発明にはその等価物が含まれ得る。
【００１４】
なお、以下では、互いに直交する３つの方向をＸ方向、Ｙ方向及びＺ方向と呼ぶこととする。ここで、Ｘ方向及びＹ方向は、水平方向である。より具体的に説明すると、Ｘ方向は、後述する大引１２の長手方向（所定方向に相当）に該当し、Ｙ方向は、大引１２の長手方向と交差（直交）する方向に該当する。また、Ｚ方向は、鉛直方向（上下方向）である。
【００１５】
＜＜建物の構成＞＞
本実施形態に係る床施工方法により床を構築する建物（以下、建物１）は、例えば複数階建ての住宅や建屋であり、１階部分の床構造として、図１に図示した床構造を採用している。図１は、建物１における床構造の一例を示す模式図であり、Ｘ方向から床１０及び床下ユニット２０を見た図である。なお、図１に図示の床構造は、複数階建ての建物にのみ適用されるものではなく、平屋等、一階建ての建物にも適用可能である。
【００１６】
床１０は、パネル材としての床パネル１１を床設置スペースに敷きつめて不図示の化粧材を床パネル１１の上に固定することで構成されている。床パネル１１は、平面視で略長方形状の合板からなる。床下ユニット２０は、図１に示すように床１０と土間ＦＬとの間に配置され、床１０を下方から支えるものである。床下ユニット２０は、図２及び図３に示すように固定材としての大引１２と、支柱としての束１３と、を組み付けて一体化したものである。
【００１７】
大引１２は、角筒状の鋼材からなり、その上端面には床パネル１１が設置される。
また、大引１２には所定の間隔で操作孔１２ａが形成されている。この操作孔１２ａは、上下に貫通した貫通孔であり、それぞれの操作孔１２ａの位置に束１３が取り付けられる。
【００１８】
束１３は、図１に示すように、大引１２の下方位置で大引１２を支持する部材である。束１３は、Ｘ方向に沿って略一定の間隔で大引１２に組み付けられる。なお、本実施形態において図示した束１３の数は、例示であって、大引１２の長さや、束１３の配置間隔に応じて適宜変更され得る。
【００１９】
また、図１乃至図３に示すように、束１３は、大引１２が嵌合可能な受け部１４と、鉛直方向に延出した支柱本体１５と、支柱本体１５の土台をなすベース部１６とを有する。
ベース部１６は、土間ＦＬに接地される部分であり、例えば、ゴム製のブロック体等によって構成されている。
支柱本体１５は、ベース部１６に対して立設された部分であり、棒状のネジ部１５ａと、ネジ部１５ａが挿入される筒状部１５ｂと、を有する。
ネジ部１５ａの外周面には雄ネジが形成されており、筒状部１５ｂの内周面に形成された雌ネジと係合（螺合）している。
【００２０】
そして、ネジ部１５ａが順回転すると、ネジ部１５ａが筒状部１５ｂに対して上昇し、支柱本体１５の高さが増加する。反対に、ネジ部１５ａが逆回転すると、ネジ部１５ａが筒状部１５ｂに対して下降し、支柱本体１５の高さが減少する。このように支柱本体１５を含む束１３の高さは、ネジ部１５ａを回転させることで調整することが可能である。
【００２１】
ネジ部１５ａを回転させる際には、ネジ部１５ａの上端部に設けられたネジ頂部１７を、工具（例えばドライバーやプラグレンチ）によって操作する（回転させる）。つまり、ネジ頂部１７は、束１３の上部に設けられた被操作部に相当し、束１３の高さを変更する際に操作される部分である。
【００２２】
受け部１４は、束１３の上方部分、より具体的には筒状部１５ｂの上方位置に設けられた上向きＣ字状の鋼材からなる。この受け部１４は、図３に示すように、底壁１４ａと、底壁の両側端から立設された一対の側壁１４ｂとを有する。図３は、大引１２を束１３に組み付ける直前の状態を示す図である。なお、図３は、法線方向がＸ方向であって後述の操作孔１２ａを通過する断面を示した図となっている。
【００２３】
底壁１４ａには貫通孔１４ｃが設けられており、図３に示すように貫通孔１４ｃにネジ部１５ａの上端部が挿通されている。換言すると、ネジ頂部１７は、受け部１４の底壁１４ａを貫通して当該底壁１４ａよりも上方に突出していることになる。なお、底壁１４ａの下面には、図３に示すように、ナット（以下、下方ナット１８）が溶接されている。下方ナット１８は、その孔と底壁１４ａの貫通孔１４ｃとが連通するように底壁１４ａに固定されている。ネジ部１５ａの上端部は、下方ナット１８と螺合して底壁１４ａを貫くように配設されている。
【００２４】
一対の側壁１４ｂは、互いに離れた状態で配置されており、それぞれ上方に向かって延出している。各側壁１４ｂは、若干の弾性を有し、側壁１４ｂの上端部同士の間隔（換言すると、受け部１４の上端開口）が広がるように撓むことが可能である。また、各側壁１４ｂの延出方向中途位置には、内側（対をなす側壁１４ｂが位置する側）に突出した係合突起１４ｄが形成されている。
【００２５】
そして、受け部１４は、図２及び図３に示すように、底壁１４ａと一対の側壁１４ｂとによって囲まれたスペース内に大引１２を入れ込むことで大引１２と嵌合する。より具体的に説明すると、大引１２は、図３に示すように受け部１４の上方から受け部１４内部のスペースに入り込む。また、受け部１４における一対の側壁１４ｂの間隔（横幅）は、大引１２の両側部の間隔（横幅）と略一致する。このため、大引１２を受け部１４内に入れ込む際、受け部１４の上端開口が広がるように側壁１４ｂが撓む。これにより、大引１２がスムーズに受け部１４内に入り込むようになる。
【００２６】
以上のように受け部１４内に大引１２が入り込むことで束１３が大引１２に組み付けられる。また、大引１２の両側部の各々には、内側（対をなす側部が位置する側）に窪んだ係合凹部１２ｂが形成されている。束１３が大引１２に組み付けられた状態では、図８に示すように、大引１２の両側部の各々と隣り合う位置に受け部１４の側壁１４ｂが位置し、係合突起１４ｄが係合凹部１２ｂと対向して係合凹部１２ｂ内に入り込む（係合する）ようになる。このように係合突起１４ｄが係合凹部１２ｂと係合することで、大引１２と受け部１４との嵌合状態（換言すると、大引１２に対する束１３の組み付け状態）を安定させることが可能となる。
【００２７】
また、束１３が大引１２に組み付けられた状態では、図８に示すように、ネジ頂部１７を含むネジ部１５ａの上端部が大引１２の底を貫通し、大引１２の底よりも上方に突出している。具体的に説明すると、大引１２のうち、束１３が組み付けられる部分の底には、図３に示すように、大引１２を貫通した孔（以下、ネジ挿入孔１２ｃ）が形成されている。また、束１３では、ネジ部１５ａの上端部が受け部１４の底壁１４ａを貫くように配設されている。
【００２８】
そして、束１３を大引１２に組み付けるために大引１２を受け部１４に嵌合させるとき、上記のネジ挿入孔１２ｃ内にネジ部１５ａの上端部を挿通させる。この結果、束１３は、ネジ頂部１７を含むネジ部１５ａの上端部が大引１２の底を貫通するように大引１２に組み付けられる。
【００２９】
なお、大引１２の底を貫通したネジ部１５ａの上端部には、図１及び図８に示すように座金付きナット（以下、上方ナット１９）が取り付けられる。上方ナット１９がネジ部１５ａの上端部に取り付けられることで、大引１２に組み付けられた束１３が大引１２に対して固定される。
【００３０】
また、図３に示すように、大引１２の上壁のうち、ネジ挿入孔１２ｃと対向する部分、換言すると、束１３が大引１２に組み付けられた状態においてネジ部１５ａの上端部の直上位置に在る部分には円穴状の操作孔１２ａが設けられている。この操作孔１２ａは、その径がネジ頂部１７の外径よりも大きくなるように形成されている。より詳しく説明すると、操作孔１２ａの径は、上方ナット１９の最外径（座金部分の外径）よりも若干大きくなっている。
【００３１】
そして、ネジ頂部１７を操作する際には、操作孔１２ａを通じて操作する形になる。つまり、大引１２に組み付けられた束１３の高さを変更する際には、ネジ挿入孔１２ｃを通って大引１２の底を貫通したネジ頂部１７を操作する。この際、操作孔１２ａを通じてネジ頂部１７までアクセスしてネジ頂部１７を操作する形になる。
【００３２】
以上の要領でネジ頂部１７を操作すると、束１３の高さが変更される。そして、束１３の高さが変わると、これに伴って大引１２の上下位置が変化する。つまり、ネジ頂部１７の操作により、大引１２に対する束１３の組み付け位置が上下方向において変更する。ここで、組み付け位置とは、束１３の高さ方向（すなわち、Ｚ方向）において、束１３のうち、大引１２に組み付けられている部位の位置を意味する。
【００３３】
より詳しく説明すると、ネジ頂部１７の操作によって束１３の高さが変化する一方で、ネジ頂部１７に対する受け部１４及び大引１２の位置（相対位置）は、受け部１４の下面に溶接された下方ナット１８によって保持される。したがって、束１３の高さが変わると、大引１２に対する束１３の組み付け位置（具体的には、受け部１４の位置）が上下移動し、これに伴う形で大引１２の上下位置が調整される。
【００３４】
＜＜床の施工方法＞＞
次に、本実施形態に係る床１０の施工方法について説明する。なお、以下では、図１に図示した構造の床１０を施工する場合を例に挙げて説明する。
【００３５】
［床下ユニット２０の組み付け工程］
本実施形態に係る床１０を施工する上では、先ず、大引１２に束１３を組み付けて床下ユニット２０を構成する。なお、大引１２と束１３との組付けは、工場で行い、その後完成した床下ユニット２０を建物１の建設現場に運んでもよいし、大引１２と束１３との組付けを建物１の建設現場で行ってもよい。
【００３６】
［床下ユニット２０の配置工程］
そして、それぞれの床下ユニット２０を土間ＦＬに配置する。具体的には、図５及び図６に示されるように、各々の床下ユニット２０を建物１の基礎Ｂの立ち上がり部Ｒに設けられた保持具４０に、大引１２の端部１２ｄを載置することで、立ち上がり部Ｒに対して大引１２を架設した状態で床下ユニット２０を配置する。
なお、図５および図６に示されるように、基礎Ｂの立ち上がり部Ｒに対して、Ｘ方向において離間した位置に一対の保持具４０が設けられる。
【００３７】
保持具４０は、板部材４１と高さ調整部４２とを備える。具体的には、板部材４１は、Ｙ方向に離間して設けられ、立ち上がり部Ｒの上面と側面に沿ったＬ字状の第１プレート４１Ａ及び第２プレート４１Ｂと、第１プレート４１Ａと第２プレート４１Ｂとを連結し、大引１２の端部１２ｄを支持する載置面部４１Ｃと、を有する。
高さ調整部４２は、第１プレート４１Ａに設けられ、第１プレート４１Ａと立ち上がり部Ｒの上面との距離を調整する第１高さ調整部４２Ａと、第２プレート４１Ｂに設けられ、第２プレート４１Ｂと立ち上がり部Ｒの上面との距離を調整する第２高さ調整部４２Ｂとを有する。
なお、第１高さ調整部４２Ａ及び第２高さ調整部４２Ｂは、ボルトを有し、ボルトを回転させることにより、第１プレート４１Ａ及び第２プレート４１Ｂのそれぞれの上下位置を調整可能である。そして、第１プレート４１Ａと第２プレート４１Ｂに伴って載置面部４１Ｃの位置も変化し、これにより載置面部４１Ｃにより支持される大引１２の高さが調整可能となっている。
なお、本実施形態においては、保持具４０は、束１３のベース部１６が土間ＦＬに接地する高さに予め調整されていることとする。
【００３８】
上述したように、複数の床下ユニット２０を土間ＦＬに対して配置する。この際、それぞれの床下ユニット２０の大引１２を保持具４０に架設するように配置することで、それぞれの床下ユニット２０をＸ方向に沿って平行に配置することができる。
このように、保持具４０に大引１２を架設して床下ユニット２０を配置することにより、床下ユニット２０の土間ＦＬにおける位置決めを容易に行うことができる。
【００３９】
［床パネル１１の配置工程］
次に、図７に示されるように、床下ユニット２０の上に、複数の床パネル１１を配置する。
具体的に説明すると、図７に示されるように、複数の床パネル１１（図７では４つの床パネル１１）をＸ方向に並べるようにして、大引１２の上に配置する。
詳細に説明すると、各床パネル１１は、平面視で略直方形状をなしており、その長辺が隣り合う床パネル１１の長辺と重なるように配置する。
また、大引１２のうちの一つ（以下、中央の大引１２）には、Ｙ方向における各床パネル１１の中央部が載っている。残りの大引１２（以下、端側の大引１２）には、Ｙ方向における床パネル１１の端部が載っている。
【００４０】
なお、３つの大引１２に固定されている床パネル１１の配置では、図７に示すように、Ｘ方向における各大引１２の一端部が、パネル群中、Ｘ方向において最も一端側に位置する床パネル１１よりも幾分はみ出している。ただし、これに限定されるものではなく、床パネル１１と大引１２のＸ方向の端が揃っていてもよい。
【００４１】
［大引１２に対する束１３の組み付け位置の変更工程］
次に、大引１２に対する束１３の組付け位置を変更する工程について説明する。
図７に示されるように、床パネル１１において大引１２の上に載った部分のうち、操作孔１２ａの上方位置には開口部が設けられている。
【００４２】
より詳しく説明すると、床パネル１１において中央の大引１２の上に載っている部分（すなわち、Ｙ方向における床パネル１１の中央部）には、図７に示すように開口部としての切り欠き１１ａが形成されている。この切り欠き１１ａは、Ｙ方向における床パネル１１の中央部の側縁（Ｘ方向における一端側の縁）を略三角形状に切り欠くことで形成されている。また、切り欠き１１ａは、図７及び図８に示すように、中央の大引１２に形成された操作孔１２ａの直上位置に設けられている。さらに、切り欠き１１ａは、操作孔１２ａの開口サイズよりも幾分大きく、切り欠き１１ａの縁が操作孔１２ａの縁よりも外側に位置するように形成されている。
【００４３】
また、床パネル１１において端側の大引１２の上に載っている部分（すなわち、Ｘ方向における床パネル１１の端部）には、図７に示すように開口部としての切り欠き１１ｂが形成されている。切り欠き１１ｂは、図７に示すように、Ｘ方向において互いに隣り合う２つの床パネル１１の各々の角部を略三角形状に面取りすることで形成されている。また、切り欠き１１ｂは、端側の大引１２に形成された操作孔１２ａの直上位置に設けられている。また、切り欠き１１ｂは、操作孔１２ａの開口サイズよりも若干大きく、切り欠き１１ｂの外縁が操作孔１２ａの縁よりも外側に位置するように設けられている。なお、切り欠き１１ｂと操作孔１２ａとの位置関係については、切り欠き１１ａと操作孔１２ａとの位置関係（すなわち、図８に示す位置関係）と略同様である。
【００４４】
以上のように、床パネル１１において大引１２の上に載っている部分のうち、大引１２に組み付けられた束１３が有するネジ部１５ａの直上位置にある箇所には、開口部としての切り欠き１１ａ、１１ｂが設けられている。つまり、大引１２の底を貫通しているネジ部１５ａの頂部（すなわちネジ頂部１７）は、操作孔１２ａ及び切り欠き１１ａ、１１ｂを通じて床パネル１１の上方空間に対して露出している。このため、ネジ頂部１７は、切り欠き１１ａ、１１ｂ及び操作孔１２ａを通じて操作可能となる。このような構成であれば、床パネル１１の上方から切り欠き１１ａ、１１ｂ及び操作孔１２ａを通じてネジ頂部１７にアクセスしてネジ頂部１７を操作することが可能となる。
【００４５】
すなわち、床下ユニット２０の上に床パネル１１を配置した後に、大引１２の上下位置（すなわち、床レベル）を調整する。具体的には、各束１３が支柱本体１５に備えたネジ部１５ａのネジ頂部１７を操作して束１３の高さを変更する。この際、床パネル１１において大引１２の上に載った部分のうち、ネジ頂部１７の上方位置に形成された切り欠き１１ａ、１１ｂを通じてネジ頂部１７を操作する。
【００４６】
より詳しく説明すると、束１３が大引１２に組み付けられた状態において、ネジ頂部１７の直上位置には、大引１２の上壁に形成された操作孔１２ａ、及び、床パネル１１に形成された切り欠き１１ａ、１１ｂが設けられている。つまり、ネジ頂部１７は、床パネル１１の上方空間に対して露出している。これにより、床パネル１１の上方から操作孔１２ａ及び切り欠き１１ａ、１１ｂを通じてネジ頂部１７を操作し得るようになる。より詳しく説明すると、作業者（すなわち、床の施工者）は、操作孔１２ａ及び切り欠き１１ａ、１１ｂを通じて工具を差し込み、当該工具によってネジ頂部１７を操作してネジ部１５ａを回転させる。
【００４７】
そして、ネジ部１５ａの回転によって束１３の高さが変更し、これに伴って大引１２の上下位置（床レベル）が調整される。最終的に大引１２の上下位置が所望の位置に達した時点で、作業者は、操作孔１２ａ及び切り欠き１１ａ、１１ｂを通じて上方ナット１９をネジ頂部１７に螺合させる。これにより、大引１２が所望の高さに配置された状態で束１３が大引１２に対して固定されるようになる。
【００４８】
その後、化粧材の設置等を含む後段の工程が実施される。そして、床１０の施工に関する一連の工程が実施されることで床１０及び床下ユニット２０が完成し、これを以て床１０の施工作業が終了する。
【００４９】
＜＜変形例に係る建物及び床の施工方法＞＞
次に、変形例に係る建物及び床の施工方法について説明する。変形例では、固定材に相当する大引の構造、支柱に相当する束の構造、及び束を大引に組み付ける方法が上記の実施形態とは異なる。また、上記以外の点において、変形例は、上記の実施形態と共通するため、以下では、上記の実施形態からの相違点を主に説明する。
【００５０】
変形例に係る大引（以下、大引３０）は、角柱状の部材であり、例えば木材や鋼管からなる。大引３０の上面にはＸ方向に沿って複数の床パネル１１が固定されている。また、大引３０には、Ｘ方向において略一定間隔で円穴状の挿入孔３０ａが形成されている。
【００５１】
また、各床パネル１１において大引３０の上に載っている部分のうち、挿入孔３０ａの直上位置に在る箇所には、図９に示すように切り欠き１１ａ、１１ｂ（図９では、図示の都合上、切り欠き１１ａのみ記載）が形成されている。この切り欠き１１ａ、１１ｂは、本実施形態における切り欠き１１ａ、１１ｂに相当する開口部であり、本実施形態における形成位置と略同じ位置に形成されている。なお、切り欠き１１ａ、１１ｂの代わりに円穴が開口部として形成されてもよい。切り欠き１１ａ、１１ｂは、その外縁が挿入孔３０ａの縁よりも外側に位置するように形成されている。図９は、変形例において大引３０に束３２を組み付ける手順を示す図である。なお、図９は、図８に示す断面に相当する。
【００５２】
さらに、大引３０の下面には、図９に示すように、筒状の部品（以下、ネジ保持部材３１）が取り付けられている。ネジ保持部材３１は、その内部空間が挿入孔３０ａと連通した状態で大引３０の下面に固定されている。ネジ保持部材３１の内径は、挿入孔３０ａの径よりも僅かに小さくなっており、また、ネジ保持部材３１の内周面にはネジ山が形成されている。
【００５３】
変形例に係る束（以下、束３２）は、複数の部品に分割されており、これらの部品を組み立てることで構成される。具体的に説明すると、束３２は、支柱本体３３とベース部３６とを有する。支柱本体３３及びベース部３６は、図９に示すように分離可能であり、束３２が大引３０に組み付けられる時点で連結する。
【００５４】
支柱本体３３は、外周面の一部にネジ山が形成されたシャフトの部品であり、図９に示すように互いに形が異なる３つの部分（以下、小径ネジ部３３ａ、中径部３３ｂ及び大径ネジ部３３ｃという）を有する。小径ネジ部３３ａは、支柱本体３３において最も小径であり、支柱本体３３の下端部に位置する。中径部３３ｂは、小径ネジ部３３ａよりも大径で、かつ、大径ネジ部３３ｃよりも小径であり、支柱本体３３の中央部に位置する。大径ネジ部３３ｃは、支柱本体３３において最も大径であり、支柱本体３３の上端部に位置する。そして、小径ネジ部３３ａ及び大径ネジ部３３ｃの外周面にはネジ山が形成されている一方で、中径部３３ｂの外周面は平坦面（ネジ山が形成されていない面）となっている。
【００５５】
また、大径ネジ部３３ｃの外周面に形成されたネジ山は、ネジ保持部材３１の内周面に形成されたネジ山と係合（螺合）することが可能である。そして、支柱本体３３は、大径ネジ部３３ｃがネジ保持部材３１内に挿入された状態で順方向に回転すると下方に向かって移動する。また、支柱本体３３が下方に移動すると、やがて支柱本体３３がネジ保持部材３１の下端開口から突出するようになる。ネジ保持部材３１の下端開口からの支柱本体３３の突出量は、支柱本体３３の移動の向き及び移動量によって調整可能である。
【００５６】
また、図９に示すように、支柱本体３３の上端部には、被操作部としての軸頂部３５が設けられている。大径ネジ部３３ｃがネジ保持部材３１内に挿入された状態で軸頂部３５が操作されると、支柱本体３３が回転して上下方向に移動する。
【００５７】
ベース部３６は、図９に示すように、略円錐台状の接地部３６ａと、接地部３６ａの上端から上方に向かって立設された立設部３６ｂと、を有する。接地部３６ａは、束３２の下端部をなし、土間ＦＬの上に接地される。立設部３６ｂは、略円筒形状をなし、その外周面にはネジ山が形成されている。立設部３６ｂの外径は、ネジ保持部材３１の内径と略同径である。
【００５８】
また、大引３０に対して束３２を組み付け始める段階では、図９に示すように、立設部３６ｂがネジ保持部材３１の内部空間の下方領域に入り込んでいる。この状態において、立設部３６ｂの外周面に形成されたネジ山と、ネジ保持部材３１の内周面に形成されたネジ山とが螺合している。なお、ベース部３６は、ネジ保持部材３１に対して順方向に回転すると、立設部３６ｂがネジ保持部材３１内に入り込む向き（すなわち、上方）に移動する。反対に、ベース部３６は、ネジ保持部材３１に対して逆方向に回転すると、立設部３６ｂがネジ保持部材３１から外れる向き（すなわち、下方）に移動する。
【００５９】
また、ベース部３６の略中央部分には、ベース部３６を貫通する貫通孔が設けられている。この貫通孔には、大引３０に対して束３２を組み付ける際、図１０に示すように小径ネジ部３３ａが挿入される。なお、貫通孔の内周面にはネジ山が形成されており、このネジ山が小径ネジ部３３ａのネジ山と係合（螺合）する。図１０は、変形例において束３２の組み付け位置が調整された状態を示す図であり、図９と同じ断面を示している。
【００６０】
そして、支柱本体３３は、小径ネジ部３３ａがベース部３６の貫通孔に差し掛かった状態で支柱本体３３が順方向に回転すると、小径ネジ部３３ａが上記の貫通孔内に進入し、この結果、支柱本体３３とベース部３６とが連結するようになる。
【００６１】
次に、上述した大引３０に対して束３２を組み付け、大引３０の上下位置を調整する手順について説明する。大引３０に束３２を組み付け始める段階では、図９に示すように、立設部３６ｂがネジ保持部材３１の内部空間の下部に入り込んでおり、立設部３６ｂのネジ山とネジ保持部材３１のネジ山とが螺合している。かかる状態において、大引３０に形成された各挿入孔３０ａに、支柱本体３３を床パネル１１の上方から挿入する。ここで、大引３０の上に載っている床パネル１１のうち、挿入孔３０ａの上方位置に在る部分には、挿入孔３０ａよりも大きな切り欠き１１ａ、１１ｂが形成されている。これにより、支柱本体３３が挿入孔３０ａ内にスムーズに挿入されるようになる。
【００６２】
支柱本体３３が挿入孔３０ａに挿入されると、小径ネジ部３３ａがネジ保持部材３１内に進入し、やがてネジ保持部材３１に係合したベース部３６の接地部３６ａに到達する。その後、作業者（すなわち、床の施工者）が軸頂部３５を操作して支柱本体３３を順方向に回転させると、小径ネジ部３３ａがベース部３６に形成された貫通穴内に入り込み、当該貫通孔の内周面に形成されたネジ山と、小径ネジ部３３ａの外周面に形成されたネジ山とが螺合するようになる。また、小径ネジ部３３ａのネジ山と上記の貫通孔のネジ山とが螺合した状態で支柱本体３３が順方向に回転すると、ベース部３６が一体的に回転するようになる。つまり、ベース部３６がネジ保持部材３１に対して順方向に回転し、結果として、ベース部３６の立設部３６ｂがネジ保持部材３１内に更に入り込むようになる。
【００６３】
作業者が更に軸頂部３５を操作して支柱本体３３を順方向に回転させ続けると、やがて小径ネジ部３３ａと中径部３３ｂとの段差が立設部３６ｂの上端面に当接する位置まで、小径ネジ部３３ａがベース部３６の貫通孔に入り込む。その状態において作業者が軸頂部３５を操作して支柱本体３３を順方向に回転させる（分かり易くは、増し締めする）と、支柱本体３３とベース部３６とが連結し、束３２として一体化するようになる。
【００６４】
作業者は、それまで行っていた操作の向きとは逆の向きに軸頂部３５を操作することで、束３２として一体化した支柱本体３３及びベース部３６を、ネジ保持部材３１に対して逆方向に回転させる。これにより、ネジ保持部材３１内に嵌まり込んでいるベース部３６の立設部３６ｂが下方に移動し、やがてネジ保持部材３１の外に出てネジ保持部材３１から外れる。この際、支柱本体３３は、ベース部３６に固定された状態でベース部３６と一体的に移動し、具体的には、小径ネジ部３３ａ及び中径部３３ｂがネジ保持部材３１の貫通孔内を通過する。そして、支柱本体３３は、大径ネジ部３３ｃのネジ山とネジ保持部材３１の貫通孔内に形成されたネジ山とが螺合する位置まで移動する。以上までの手順により、大引３０に対して束３２が組み付けられる。
【００６５】
その後、作業者は、図１０に図示の治具Ｔを取り付けた工具（具体的には、不図示のインパクトドライバー）を用いて軸頂部３５を引き続き操作する。治具Ｔは、有底筒型形状をなしており、治具Ｔの内部空間の底には嵌合突起Ｔａが突出形成されている。この嵌合突起Ｔａは、棒状レンチをなしており、治具Ｔ内に軸頂部３５が挿入された際に、軸頂部３５の上端面に形成された嵌合孔３４に嵌合される。なお、嵌合突起Ｔａの断面形状及び嵌合孔３４の開口形状は、両者が対応するものである限り任意に設定することができ、例えば、円形、方形状あるいは六角形であってもよい。
【００６６】
作業者は、図１０に示すように、治具Ｔ内に支柱本体３３の上端部を入れ、軸頂部３５の嵌合孔３４に治具Ｔの嵌合突起Ｔａを嵌合させる。かかる状態でインパクトドライバーを操作すると、支柱本体３３がネジ保持部材３１に対して順方向に回転し、ベース部３６とともに下方に向かって移動する。これにより、ベース部３６は、接地部３６ａが土間ＦＬに接地する位置まで下降するようになる。
【００６７】
作業者がインパクトドライバーにて軸頂部３５を引き続き操作すると、支柱本体３３及び大引３０に対して下降し続け、ネジ保持部材３１からの支柱本体３３の突出量が徐々に増加する。これにより、大引３０に対する束３２の組み付け位置が変化し、これに伴って、大引３０の上下位置が調整される（具体的には、大引３０が徐々に土間ＦＬから離れる）。
【００６８】
作業者は、図１０に示すように治具Ｔの先端が大引３０における挿入孔３０ａの縁に係止される位置まで軸頂部３５を操作し続ける。これにより、大引３０の上下位置は、最終的に、図１０に図示の位置（すなわち、治具Ｔの先端が大引３０における挿入孔３０ａの縁に係止された時点での位置であり、以下、「最終調整位置」という）となる。
【００６９】
なお、変形例では、大引３０の上下位置を調整するために軸頂部３５を操作する際に、床パネル１１において大引３０の上に載った部分のうち、挿入孔３０ａの上方位置に形成された切り欠き１１ａ、１１ｂを通じて軸頂部３５を操作する。これにより、床パネル１１の上方から切り欠き１１ａ、１１ｂを通じて軸頂部３５にアクセスして軸頂部３５を操作することが可能となる。このような構成により、変形例では、大引３０上に床パネル１１が固定された状態であっても、大引３０の上下位置を簡単に調整することが可能となる。
【００７０】
また、変形例では、軸頂部３５を操作する際に、図１０に図示の治具Ｔを用いて操作する。そして、治具Ｔの先端が大引３０における挿入孔３０ａの縁に係止されるようになるまで、軸頂部３５を操作し続ける。これにより、ネジ保持部材３１からの支柱本体３３の突出量（換言すると、大引３０に対する束３２の組み付け位置）が予め設定された量となり、大引３０の上下位置が一律の位置、具体的には最終調整位置に調整される。この結果、複数の束３２を大引３０に組み付ける際、各束３２の組み付け位置を容易に揃えることが可能となる。
【００７１】
＜その他の実施形態＞
本発明は、上記の実施形態に限定されるものではない。
例えば、床パネル１１の開口部としては、切り欠き１１ａ、１１ｂに限定されるものではない。具体的には、図７において切り欠き１１ａ、１１ｂが形成されている箇所に、切り欠き１１ａ、１１ｂの代わりに、図１１に示すように円穴１１ｃ（穴の一例）が形成されていてもよい。円穴１１ｃは、大引１２に形成された操作孔１２ａの直上位置に一つずつ設けられており、操作孔１２ａの径よりも若干大径となっている。このような円穴１１ｃが設けられていることで、大引１２の底を貫通しているネジ部１５ａの頂部（ネジ頂部１７）は、床パネル１１の上方空間に対して露出するようになる。この結果、図２Ｂに図示の構成においても、床パネル１１の上方から円穴１１ｃ及び操作孔１２ａを通じてネジ頂部１７にアクセスしてネジ頂部１７を操作することが可能となる。
【００７２】
また、上記の実施形態においては、束１３の上部に設けられたネジ頂部１７を操作することにより束１３の受け部１４の上下位置を調整することとしたが、これに限られない。例えば、ネジ部１５ａに取り付けられる下方ナット１８と上方ナット１９とを連結して構成したナット体を回すことにより、受け部１４の上下位置を調整する機構としてもよい。
【００７３】
また、上記の実施形態においては、大引１２に形成された操作孔１２ａを通じて、束１３のネジ頂部１７を操作することとしたが、これに限られない。例えば、受け部１４が複数の大引１２を保持することとし、受け部１４により保持される複数の大引１２の隙間から、束１３のネジ頂部１７を操作するようにしてもよい。
こうした場合には、大引１２に操作孔１２ａを形成する穴開け加工が不要となる。
【００７４】
また、ベース部１６に対しては、下面に接着剤を塗布して土間ＦＬと接合してもよいし、ベース部１６から土間ＦＬに向けて釘等の固着具を打ち込んで固定してもよい。
【００７５】
また、上記の実施形態において、束１３の高さを調整した後に、立ち上がり部Ｒから保持具４０を取り外すようにしてもよい。
また、保持具４０を立ち上がり部Ｒから取り外さずに固定するようにしてもよい。この場合には、例えば立ち上がり部Ｒから上方に延出するアンカーボルトを設け、アンカーボルトに保持具４０を締結するようにしてよい。
また、保持具４０から立ち上がり部Ｒに向けて釘等の固着具を打ち込んで、保持具４０を立ち上がり部Ｒに固定してもよい。
また、保持具４０と立ち上がり部Ｒとを接着剤により固定してもよい。
また、上記の実施形態では、立ち上がり部Ｒに保持具４０を設けて、保持具４０により大引１２を保持するようにしたが、保持具４０を設けずに立ち上がり部Ｒに大引１２を直接置くようにしてもよい。
【００７６】
＜まとめ＞
以上説明した本実施形態に係る床施工方法の主な特徴は以下の通りである。
【００７７】
［１］本実施形態に係る床施工方法は、建物１の床１０を構成する床パネル１１（パネル材）を支持する大引１２（固定材）と、大引１２を支持する束１３（支柱）とを一体化した床下ユニット２０を床１０の土間ＦＬ（ベース部）に配置する工程と、床下ユニット２０を配置した後に、床パネル１１から束１３の上部が露出するように、大引１２の上に床パネル１１を配置する工程と、大引１２の上下位置を調整するために、大引１２に組み付けられた束１３の上部に設けられたネジ頂部１７（被操作部）を操作して、大引１２に対する束１３の組み付け位置を上下方向において変更する工程と、を含む。大引１２の上下位置を調整するためのネジ頂部１７の操作は、床パネル１１において大引１２の上に載った部分のうち、ネジ頂部１７の上方位置に設けられた開口部を通じて行われる。
上記の床施工方法によれば、床パネル１１を支持する大引１２と束１３とを一体化した床下ユニット２０の上に床パネル１１を置いてから、束１３の高さを調整することができる。この際、床パネル１１の上から束１３の高さ調整が可能であるため、大引１２及び床パネル１１の上下位置の調整を簡単に行うことができる。すなわち、上記の床施工方法によれば、床施工の労力を軽減できる。
【００７８】
［２］上記の床施工方法において、大引１２の上下位置を調整するためのネジ頂部１７の操作は、床パネル１１において大引１２の上に載った部分のうち、ネジ頂部１７の上方位置に形成された穴又は切り欠きを通じて行われる。
こうすることで、床パネル１１において大引１２の上に載った部分のうち、ネジ頂部１７の上方位置には、開口部として形成された穴（円穴１１ｃ）又は切り欠き（切り欠き１１ａ、切り欠き１１ｂ）が設けられており、大引１２の上下位置を調整する際には、この穴又は切り欠きを通じてネジ頂部１７の操作が可能である。これにより、ネジ頂部１７を操作して大引１２の上下位置を調整することが一層簡単になる。
【００７９】
［３］上記の床施工方法において、束１３は、大引１２が嵌合可能な受け部１４と、受け部１４の底壁１４ａを貫通して底壁１４ａよりも上方に突出したネジ頂部１７とを備え、床下ユニット２０は、束１３の受け部１４に、ネジ頂部１７が大引１２の底を貫通するように大引１２を嵌合させて構成される。
こうすることで、束１３の受け部１４に大引１２を嵌合させることで、束１３を大引１２に簡単に組み付けることが可能となる。これにより、床施工の作業性を向上できる。
【００８０】
［４］上記の床施工方法において、束１３のうち、ネジ頂部１７を上端部に有する支柱本体１５を、大引１２に形成された挿入孔に挿入して束１３が大引１２に組み付けられ、大引１２の上下位置を調整するためのネジ頂部１７の操作は、床パネル１１において大引１２の上に載った部分のうち、挿入孔の上方位置に形成された開口部を通じて行われる。
こうすることで、大引１２に形成された挿入孔に束１３の支柱本体１５を挿入することで、束１３を大引１２に適切に組み付けることが可能となる。
【００８１】
［５］上記の床施工方法において、建物１の基礎Ｂの立ち上がり部Ｒには、互いに離間して配置された一対の保持具４０が設置されており、床下ユニット２０は、一対の保持具４０に、床下ユニット２０の大引１２のそれぞれの端部１２ｄを保持させるようにして配置される。
こうすることで、大引１２を配置する際に、大引１２の位置決めを簡単に行うことができる。すなわち、上記の床施工方法によれば床下ユニット２０を配置することが容易となる。
【符号の説明】
【００８２】
１  建物
１０  床
１１  床パネル（パネル材）
１１ａ  切り欠き（開口部）
１１ｂ  切り欠き（開口部）
１１ｃ  円穴（開口部、穴）
１２  大引（固定材）
１２ａ  操作孔
１２ｂ  係合凹部
１２ｃ  ネジ挿入孔
１２ｄ  端部
１３  束（支柱）
１４  受け部
１４ａ  底壁
１４ｂ  側壁
１４ｃ  貫通孔
１４ｄ  係合突起
１５  支柱本体
１５ａ  ネジ部
１５ｂ  筒状部
１６  ベース部
１７  ネジ頂部（被操作部）
１８  下方ナット
１９  上方ナット
２０  床下ユニット
３０  大引（固定材）
３０ａ  挿入孔
３１  ネジ保持部材
３２  束（支柱）
３３  支柱本体
３３ａ  小径ネジ部
３３ｂ  中径部
３３ｃ  大径ネジ部
３４  嵌合孔
３５  軸頂部（被操作部）
３６  ベース部
３６ａ  接地部
３６ｂ  立設部
４０  保持具
４１  板部材
４１Ａ  第１プレート
４１Ｂ  第２プレート
４１Ｃ  載置面部
４２  高さ調整部
４２Ａ  第１高さ調整部
４２Ｂ  第２高さ調整部
Ｂ  基礎
ＦＬ  土間
Ｒ  立ち上がり部
Ｔ  治具
Ｔａ  嵌合突起
【図１】
2019178585.tif 000003
【図２】
2019178585.tif 000004
【図３】
2019178585.tif 000005
【図４】
2019178585.tif 000006
【図５】
2019178585.tif 000007
【図６】
2019178585.tif 000008
【図７】
2019178585.tif 000009
【図８】
2019178585.tif 000010
【図９】
2019178585.tif 000011
【図１０】
2019178585.tif 000012
【図１１】
2019178585.tif 000013